(57)【要約】【課題】ケースの剛性が過剰となるのを防ぐと共に、設計の自由度を向上できるスイングアーム支持構造を提供する。【解決手段】  スイングアーム支持構造は、パワーユニットが収納されるケース（３）と、車軸を支持するスイングアーム（５）を、ピボット軸（１０）を介して上下に揺動自在に支持するブラケット（４）とを備えており、前記ブラケット（４）は、前記ピボット軸（１０）に交差する固定方向（ＤＦ）から前記ケース（３）に着脱可能に固定される。【選択図】図４
2014125182.tif 000002
【特許請求の範囲】
【請求項１】
パワーユニットが収納されるケースと、
車軸を支持するスイングアームを、ピボット軸を介して上下に揺動自在に支持するブラケットとを備えており、
前記ブラケットは、前記ピボット軸に交差する固定方向から前記ケースに着脱可能に固定される、自動二輪車のスイングアーム支持構造。
【請求項２】
ヘッドパイプフレームから後方に延びて前記ケースを支持するメインフレームを備えており、
前記メインフレームと前記ブラケットが個別に形成されている、請求項１に記載の自動二輪車のスイングアーム支持構造。
【請求項３】
前記ブラケットを前記ケースに固定する複数の締結部材を備えており、
前記複数の締結部材を用いて前記ブラケットが前記ケースに固定されているときに、前記複数の締結部材は、間隔を空けて配置されており、前記固定方向に前記ブラケットを前記ケースに押し付ける、請求項１又は２に記載の自動二輪車のスイングアーム支持構造。
【請求項４】
前記ブラケットは、前記ピボット軸を角変位自在に支持するピボット孔を備えており、
前記ブラケットにおいて、前記ピボット孔を形成する部分と、前記ケースに接触する面を形成する部分とが型成形品を基に形成されている、請求項１−３のいずれか１つに記載の自動二輪車のスイングアーム支持構造。
【請求項５】
前記ケースは、本体部分と、前記ブラケットを固定する固定部分とを有しており、
前記固定部分は、前記本体部分から前記固定方向に突出するように形成されている、請求項１−４のいずれか１つに記載の自動二輪車のスイングアーム支持構造。
【請求項６】
前記スイングアームを前記ブラケットに対して弾性的に支持するショックアブソーバを備え、
前記ブラケットは前記ショックアブソーバを支持するアブソーバ支持部を備えている、請求項１−５のいずれか１つに記載の自動二輪車のスイングアーム支持構造。
【請求項７】
前記ブラケットは、前記ショックアブソーバのレバー比を調整するためのリンク機構を支持するリンク支持部を備えている、請求項６に記載の自動二輪車のスイングアーム支持構造。
【請求項８】
前記スイングアームを前記ブラケットに対して弾性的に支持するショックアブソーバを備えており、
前記固定方向から見て、前記複数の締結部材は、前記ショックアブソーバによって隠される領域から離れた位置に配置される、請求項３に記載の自動二輪車のスイングアーム支持構造。
【請求項９】
パワーユニットを収納するケースと、
車軸を支持するスイングアームをピボット軸を介して上下に揺動自在に支持するブラケットと、
ヘッドパイプフレームから後方に延びて前記ケースを支持するメインフレームとを備えており、
前記ブラケットは、前記メインフレームとは別体に形成されており、前記ケースに着脱可能に固定される、自動二輪車のスイングアーム支持構造。
【発明の詳細な説明】
【技術分野】
【０００１】
本発明は、自動二輪車のスイングアームを支持する構造に関する。
【背景技術】
【０００２】
特許文献１は、自動二輪車のスイングアーム支持構造として、クランクケースに直接スイングアームを支持する構造を開示している。
【先行技術文献】
【特許文献】
【０００３】
【特許文献１】特開平１０−１１５２２６号公報
【発明の概要】
【発明が解決しようとする課題】
【０００４】
特許文献１に記載の自動二輪車では、スイングアームを支持するためにクランクケースの剛性を高める必要があり、必要な剛性を確保するために、クランクケースの設計の自由度が制限される虞がある。
【０００５】
そこで本発明は、ケースの剛性が過剰となるのを防ぐと共に、設計の自由度を向上できるスイングアーム支持構造を提供する。
【課題を解決するための手段】
【０００６】
本発明に係る自動二輪車のスイングアーム支持構造は、パワーユニットが収納されるケースと、車軸を支持するスイングアームを、ピボット軸を介して上下に揺動自在に支持するブラケットとを備えており、前記ブラケットは、前記ピボット軸に交差する固定方向から前記ケースに着脱可能に固定される。
【０００７】
ケースとは別体にブラケットが形成されるので、ケースのピボット軸付近にブラケットから付与される応力が集中することを防ぐことができ、ケースでスイングアームを直接支持する場合に比べて、ケース剛性が過剰となることを防ぐことができる。またブラケットが、ピボット軸に交差する交差方向からケースに装着固定される。これによってケースのうちで、スイングアームに対向する面にブラケットの固定位置を配置することができる。したがって取付位置が比較的制限されるケース側面にブラケットの固定位置を配置する場合に比べて、ブラケットの固定位置の選択肢を増やすことができ、設計の自由度を向上することができる。
【発明の効果】
【０００８】
本発明に係るスイングアーム支持構造は、ケースの剛性が過剰となることを防ぐとともに、設計の自由度を向上することができる。
【図面の簡単な説明】
【０００９】
【図１】斜め前方から見た自動二輪車の車体フレームの斜視図である。
【図２】自動二輪車の車体フレームの側面図である。
【図３】斜め後方から見た自動二輪車の車体フレームの斜視図である。
【図４】斜め後方から見たクランクケース及びクランクケースに固定されたアームブラケットの斜視図である。
【図５】斜め後方から見たクランクケースの斜視図である。
【図６】アームブラケットの後面図である。
【図７】後方から見たアームブラケットの斜視図である。
【発明を実施するための形態】
【００１０】
図１−３を参照して、自動二輪車の車体フレーム１００を説明する。図１は、斜め前方から見た自動二輪車の車体フレーム１００の斜視図である。図２は、自動二輪車の車体フレーム１００の側面図である。図３は、斜め後方から見た自動二輪車の車体フレーム１００の斜視図である。
【００１１】
本実施形態の自動二輪車は、車体フレーム１００、スイングアーム５、ショックアブソーバ６、リンク機構７、及び後部フレーム８を備えている。車体フレーム１００は、ヘッドパイプフレーム１、２つのメインフレーム２、クランクケース３、及びアームブラケット４を備えている。アームブラケット４は、ピボット軸１０を介してスイングアーム５を上下に揺動自在に支持している。スイングアーム５は後輪の車軸を支持する。スイングアーム５は、ショックアブソーバ６を介してアームブラケット４に弾性的に支持されている。ショックアブソーバ６の上端部は上支持軸１１を介してアブソーバブラケット９に支持されている。アブソーバブラケット９は、アームブラケット４に固定されている。ショックアブソーバ６の下端部はリンク機構７に連結されている。リンク機構７は下支持軸１２を介してアームブラケット４に支持され、アーム連結軸１３を介してスイングアーム５に支持されている。後部フレーム８は、２つのメインフレームに固定されている。後部フレーム８はシートを支持する。
【００１２】
ヘッドパイプフレーム１は、車体フレーム１００の前端部に位置しており、操舵軸を支持している。２つのメインフレーム２は、ヘッドパイプフレーム１に溶接により固定されている。２つのメインフレーム２の一方は、ヘッドパイプフレーム１の右後端から後方に延びており、２つのメインフレーム２の他方は、ヘッドパイプフレーム１の左後端から後方に延びている。２つのメインフレーム２は、車幅方向ＤＷにおいて間隔を空けて配置されており、ヘッドパイプフレーム１を介して連結されている。２つのメインフレーム２同士は直接に溶接連結されていない。すなわち、メインフレーム２の後部２ａの弾性変形に抵抗するために溶接接続されるクロス部材が存在しない。
【００１３】
リンク機構７は、スイングアーム５とショックアブソーバ６の下端部とを接続するためのものであって、互いに角変位可能に接続された複数のリンク部材によって、梃子構造が形成される。すなわち、リンク機構７は、ブラケット４との接続位置に支点が設定され、スイングアーム５との接続位置に力点が設定され、ショックアブソーバ６との接続位置に作用点が設定される。リンク部材の寸法を適宜設定することで、スイングアーム５の変位量、変位力を異ならせて、ショックアブソーバ６に伝えることができる。
【００１４】
クランクケース３は、２つのメインフレーム２にボルトを用いて固定されている。このときクランクケース３は、２つのメインフレーム２を車幅方向ＤＷで連結するクロス部材として機能している。
【００１５】
アームブラケット４は、クランクケース３に固定方向ＤＦから締結部材であるボルトを用いて着脱可能に固定されている。固定方向ＤＦは、アームブラケット４がクランクケース３に取り付けられる方向を指しており、ピボット軸１０と交差する方向である。固定方向ＤＦは、本実施形態では後方から前方への方向を指している。２つのメインフレーム２の後部２ａは、車幅方向ＤＷからアームブラケット４にボルトを用いて固定されている。２つのメインフレーム２がヘッドパイプフレーム１及びクランクケース３のみに固定されているとき、２つのメインフレーム２の後部２ａは、メインフレーム２同士が前後方向における中間部又は後端部でクロス部材により直接溶接固定される場合に比べて、車幅方向ＤＷで撓みうる状態にある。このため、メインフレーム２がアームブラケット４にボルトを用いて固定されるときに、メインフレーム２は、組立て製造誤差を許容可能に変形し、大きな応力の発生が防がれる。
【００１６】
メインフレーム２は、図示では省略しているが複数のパイプ材を組み合わせ溶接により固定することにより、形成されている。ヘッドパイプフレーム１及びメインフレーム２の材料は、鉄である。アームブラケット４は、型成形品を基に機械切削加工により形成され、本実施形態では切削前の型成形品は、ダイキャストによる鋳造品である。アームブラケット４は、ピボット軸１０の車体フレーム１００に対する位置を規定することから、精度が要求される部品である。アームブラケット４の切削前部品をダイキャストにより一体鋳造品に成形することにより、アームブラケット４の精度を確保しやすい。クランクケース３は、重力鋳造による鋳造品である。本実施形態ではクランクケース３は、クランクシャフトを収納する機能を有しており、アームブラケット４を介してスイングアーム５に掛かる荷重を受ける機能部品を兼ねる。
【００１７】
メインフレーム２は、クランクケース３を上方から支持している。
【００１８】
メインフレーム２の後部２ａは、後方に突出するように湾曲しながら、上方から下方に向けて延びている。この湾曲部分に補強板２１が固定されている。補強板２１は、後部２ａの湾曲形状に合わせた三角形形状又は円弧形状を有しており、ピボット軸１０の周辺から上方に延びている。補強板２１は、メインフレーム２を車幅方向ＤＷで大型化することなく、メインフレーム２の強度を向上させている。
【００１９】
図４−６を参照して、クランクケース３へのアームブラケット４の固定を説明する。図４は、斜め後方から見たクランクケース３及びクランクケース３に固定されたアームブラケット４の斜視図である。図４において、アームブラケット４はクランクケース３の後方に位置しており、ボルトを用いてクランクケース３に固定されている。
【００２０】
図５は、斜め後方から見たクランクケース３の斜視図である。クランスケース３は、本体部分３１及び４つのナット部分（固定部分）３２を有している。クランクケース３内において、ナット部分３２は、本体３１から前記固定方向ＤＦに突出している部分が選ばれる。ナット部分３２は、ボルトのネジ軸に噛み合うように形成されたネジ穴３３を有している。ナット部分３２のネジ穴３３に、アームブラケット４を介して、ボルトが締結される。ネジ穴３３の軸方向は、固定方向ＤＦである。アームブラケット４がクランクケース３に取り付けられるとき、４つのナット部分３２にそれぞれボルトが締結される。
【００２１】
図４、５に示されるように、クランクケース３の車幅方向ＤＷの側面ではなくクランクケース３の後端面にナット部分３２が形成されるので、車幅方向ＤＷにおいて、アームブラケット４の幅は、クランクケース３の幅よりも小さく形成されている。このことは、車体フレーム１００の車幅方向ＤＷの寸法が増大することを防止している。
【００２２】
図６は、アームブラケット４の後面図である。アームブラケット４は、クランクケース３に固定するためのボルトを挿通するための４つの挿通孔４１を有している。挿通孔４１の軸方向も固定方向ＤＦである。後方より見て、４つの挿通孔４１は、四角形の頂点位置にそれぞれ配置されている。上下を基準に４つの挿通孔４１を分けると、２つの挿通孔４１が上側に配置されており、２つの挿通孔４１が下側に配置されている。上下のそれぞれにおいて、２つの挿通孔４１は車幅方向ＤＷに間隔を空けて配置されている。２つの挿通孔４１が車幅方向ＤＷの中心よりも左側に配置されており、２つの挿通孔４１が車幅方向ＤＷの中心よりも右側に配置されている。左右のそれぞれにおいて、２つの挿通孔４１は上下方向に間隔を空けて配置されている。このため、上下方向及び左右方向のそれぞれにおいて、アームブラケット４がクランクケース３に強力に固定されている。
【００２３】
突出するナット部分３２の代わりにケース３に貫通孔が形成されて、ボルト、ナットによりケース３両側から締め付けてブラケット４をケース３に固定してもよい。この場合、ケース３にネジ孔を形成して、ケース３内との連通を阻止するようにボルト穴に底部を形成することで、ケース内流体（オイル）が流出することを防ぐことができる。
【００２４】
図１−４、７を参照して、アームブラケット４及びアブソーバブラケット９を説明する。図７は、後方から見たアームブラケット４の斜視図である。図７において、アームブラケット４は、挿通孔４１の他に、フレーム孔４２、ピボット孔４３、下アブソーバ孔４４、及びアブソーバネジ孔４５を備えている。フレーム孔４２、ピボット孔４３、下アブソーバ孔４４はいずれも、アームブラケット４を貫通し、車幅方向ＤＷに延びている。アブソーバネジ孔４５は、アームブラケット４に形成され、固定方向ＤＦに延びている。
【００２５】
図７に示されるフレーム孔４２には、連結軸１４が挿入される。連結軸１４は車幅方向ＤＷに延びており、フレーム孔４２を通過して、２つのメインフレーム２及びアームブラケット４を連結している。なお、円筒部材１５がメインフレーム２とアームブラケット４との間に配置されており、連結軸１４は円筒部材１５内に挿入されている。円筒部材１５は、メインフレーム２とアームブラケット４との離間距離を調節する。
【００２６】
図７に示されるピボット孔４３には、ピボット軸１０が挿入される。ピボット軸１０は車幅方向ＤＷに延びており、ピボット孔４３を通過して、スイングアーム５をアームブラケット４に回転可能に連結している。図４、７において、ピボット孔４３は、アームブラケット４において前側（固定方向ＤＦの先端側）に配置されており、クランクケース３に近い位置に配置されている。上述したように、ピボット孔４３には、スイングアーム５を支持するピボット軸１０が挿入される。スイングアーム５も重量物であり、重量物の荷重の掛かる位置がクランクケース３に近づけられているので、自動二輪車の重心位置が安定した位置に保たれる。
【００２７】
図７に示される下アブソーバ孔４４には、下支持軸１２が挿入される。下支持軸１２は車幅方向ＤＷに延びており、下アブソーバ孔４４を通過して、リンク機構７の一端部をアームブラケット４に回転可能に連結している。
【００２８】
リンク機構７とブラケット４とを接続する接続部分となる下アブソーバ孔４４に近い位置（左下の挿通孔４１）に、ブラケット４をケース３に固定するためのボルトの１つが配置される。このボルトは、リンク機構７から与えられる力をケース３に伝えるリンク隣接配置ボルトとなる。具体的には、リンク機構７がオフセットする側にリンク隣接配置ボルトが配置される。また下アブソーバ孔４４がブラケットの端部、具体的には下端部に配置され、リンク隣接配置ボルトも下アブソーバ孔４４が形成されるブラケット４の端部側、具体的には下端部に配置される。これによってリンク機構７からブラケット４に与えられる力をリンク機構７近くでケース３に伝えることができ、ブラケット４の剛性を低減することができる。
【００２９】
ブラケット４は、上下に延びて上下に離れた一対の固定部分（挿通孔４１の周辺部分）をそれぞれ連結する上下延在部分を有する。上下延在部分は、左右に間隔を開けて２つ配置される。ブラケット４は、上下延在部分を連結して左右方向に延びて、ピボット孔４３が形成される左右延在部分が形成される。したがってブラケット４は少なくとも、Ｈ形状に形成される部分が存在する。固定方向に分割される上下型によってブラケット４が成形加工されることで、厚みを変化させることが容易であり、必要な強度を保ちつつ軽量化を図りやすい。ブラケット４は、少なくとも、左右方向中心に対して間隔をあけた２つの位置で固定される。本実施形態では、ブラケット４の左右方向両端位置でそれぞれ固定される。ピボット軸１０から上下方向にずれた位置で固定される。本実施形態では、ピボット軸１０に対して上下に間隔をあけた２つの位置で固定される。
【００３０】
ブラケット４の左右方向幅をケースの左右方向幅よりも小さくすることで、スイングアーム５の左右方向幅を小さくすることができる。
【００３１】
ショックアブソーバ６を固定する部分（４５）とリンク機構７を固定する部分（４４）が共にブラケット４の車幅方向ＤＷ中心に対して一方に偏位することで、車幅方向ＤＦ他方の空間を有効利用することができる。
【００３２】
アブソーバブラケット９は、挿通孔９１及び挿通孔９２を有している。挿通孔９１は、アームブラケット４に固定するためのボルトを挿通するための孔である。アブソーバブラケット９は、アームブラケット４にボルトを用いて固定されている。ここで、ボルトは、挿通孔９１を通過し、アブソーバネジ孔４５に噛み合わせられており、ボルトを締結することによって、アブソーバブラケット９がアームブラケット４に固定される。また、挿通孔９２は、上支持軸１１を挿通するための孔である。上支持軸１１は車幅方向ＤＷに延びており、挿通孔９２を通過して、ショックアブソーバ６の上端部をアームブラケット４に角変位可能に支持している。
【００３３】
アブソーバブラケット９は、ボルトを用いて固定されるので、アームブラケット４に着脱可能である。ここで、ショックアブソーバ６のレバー比は、アブソーバブラケット９における挿通孔９２の位置によって変更可能である。このため、挿通孔９２の位置が異なる複数のアブソーバブラケット９を用意することにより、必要に応じて任意にレバー比を変更できる。
【００３４】
アームブラケット４は、固定方向ＤＦに形成される複数の凹部を有しており、隣り合う凹部の間にリブ４６が形成されている。このため、アームブラケット４の重量を増大させることなく、アームブラケット４の強度が確保されている。
【００３５】
ブラケット４にショックアブソーバ６、リンク機構７、スイングアーム５を組み立てたサブアッシを形成し、サブアッシをケース３に固定することで、それらを車体に順次組み立てる場合に比べて組立性を向上することができる。
【００３６】
図６に示されるように、ブラケット４をケース３に固定するためのボルトは、ボルト挿入方向、すなわちブラケット４後方からブラケット４を見て、リンク機構７およびショックアブソーバ６で隠れる領域から離れた位置にそれぞれ配置される。言換えると、ショックアブソーバ６よりも車幅方向ＤＷ外側にそれぞれボルトが配置される。これによってショックアブソーバ６をブラケット４に固定した状態で、ブラケット４をケース３に固定するにあたって、ボルトがショックアブソーバ６と干渉することを防いで、組立作業を行うことができる。
【００３７】
後輪と路面との間で生じる作用力（駆動力、制動力）は、車輪、スイングアーム５、ブラケット４を介してケース３に伝わる。上記作用力は、車体の前後方向に作用することになる。本実施例では、ボルトが前後方向に延びることで、作用力がボルトの軸方向に主に働く。これによって作用力がボルトの軸方向に垂直な方向に働く場合に比べて、ボルトの支持剛性を高めることができる。
【００３８】
本実施形態に係る自動二輪車のスイングアーム支持構造は、上述の構成を有するので、次の作用、効果を有している。
【００３９】
［１］スイングアーム支持構造は、パワーユニットが収納されるケース（３）と、車軸を支持するスイングアーム（５）を、ピボット軸（１０）を介して上下に揺動自在に支持するブラケット（４）とを備えており、前記ブラケット（４）は、前記ピボット軸（１０）に交差する固定方向（ＤＦ）から前記ケース（３）に着脱可能に固定される。
【００４０】
ケースとは別体にブラケットが形成されるので、ケースのピボット軸付近にブラケットから付与される応力が集中することを防ぐことができ、ケースでスイングアームを直接支持する場合に比べて、ケース剛性が過剰となることを防ぐことができる。またブラケットが、ピボット軸に交差する交差方向からケースに装着固定される。これによってケースのうちで、スイングアームに対向する面にブラケットの固定位置を配置することができる。したがって取付位置が比較的制限されるケース側面にブラケットの固定位置を配置する場合に比べて、ブラケットの固定位置の選択肢を増やすことができ、設計の自由度を向上することができる。
【００４１】
［２］スイングアーム支持構造は、ヘッドパイプフレーム（１）から後方に延びて前記ケース（３）を支持するメインフレーム（２）を備えており、前記メインフレーム（２）と前記ブラケット（４）が個別に形成されている。
【００４２】
メインフレームとブラケットが個別に形成されているので、メインフレーム及びケースの形状に合わせて、ブラケットの形状を変更できる。このため、スイングアーム支持構造は、ブラケットの形状を変更することにより、異なる形状のメインフレーム及びケースに対応でき、製造の自由度が向上する。
【００４３】
メインフレームにピボット軸が形成される場合に比べて、ブラケットを小型化することができ、車両を軽量化および小型化することができる。またブラケットとメインフレームとを異なる成形方法で形成することができ、利便性を向上することができる。たとえばメインフレームとブラケットとが一体成形される場合、両方を成形加工で一体形成する場合には、成形型が大きくなることで作業性が悪い。また両方を溶接接合で一体成形する場合には、製造誤差が生じやすい。本実施例では、パイプ体の溶接接合により、メインフレームを形成することで、成形型を用いる必要がなく、作業性を向上できる。またブラケットを型成形することで、溶接成形に比べて、ケースに対するピボット軸の位置ずれを防ぐことができる。またメインフレームをケースに固定する場合に生じるフレーム変形の影響を受けることなく、ブラケットをケースに固定することができ、ケースに対するピボット軸の位置ずれを防ぐことができる。
【００４４】
［３］スイングアーム支持構造は、前記ブラケット（４）を前記ケースに固定する複数の締結部材を備えており、前記複数の締結部材を用いて前記ブラケット（４）が前記ケース（３）に固定されているときに、前記複数の締結部材は、間隔を空けて配置されており、前記固定方向（ＤＦ）に前記ブラケット（４）を前記ケース（３）に押し付ける。
【００４５】
複数の締結部材は、ともに固定方向にブラケットをケースに押し付けて固定する。これによって、ブラケットは、ボルトの位置にかかわらず、同じ方向に押し付けられることになり、ボルト位置のずれに起因するブラケットのたわみを防ぐことができる。比較例として、クランクケースの車幅方向両側からボルトでそれぞれ固定する場合には、ブラケットとケースとの左右間の隙間をなくすために、ブラケットに変形させたり、隙間を埋めるスペーサをする必要がある。ブラケットを変形させる場合には、ピボット軸を精度よく配置できないし、スペーサを配置する場合には、作業性が悪い。これに対して上述したように、本実施例では、ボルトの押付け方向を同一とすることで、比較例のような状況を防ぐことができる。
【００４６】
また好ましくは、ブラケットとケースとが互いに当接する、ボルトごとに設定される当接面は、単一の仮想平面上にすべて配置されることが好ましい。当接面が同一平面上に形成される場合、誤差の影響を受けにくい。言換えると、ブラケットは、ケースの左右方向両側位置で固定される場合に比べて、当接面を一つの共通面として形成することができる。これによってボルト締め付けによるブラケットの変形を抑えて、ピボット軸の位置ずれをさらに抑えることができる。
【００４７】
また複数のボルトは、互いに間隔をあけて配置されており、たとえばクランクケースの分割面に対して両側にそれぞれボルト固定位置が配置されることで、クランクケースの分割を防ぐ補強部材としてブラケットを機能させることができる。また分割面に対して一方側にそれぞれボルト固定位置が配置されることで、ブラケットをクランクケースから取り外すことなく、クランクケースのうち一方を車体から取り外すことができる。
【００４８】
［４］前記ブラケット（４）は、前記ピボット軸（１０）を角変位自在に支持するピボット孔（４３）を備えており、前記ブラケット（４）において、前記ピボット孔（４３）を形成する部分と、前記ケース（３）に接触する面を形成する部分とが型成形品を基に形成されている。
【００４９】
型成形品により形成することで、溶接形成した場合に比べた各部位での誤差を抑えることができるとともに、厚みの設定が容易となる。したがって、ケースとピボット軸との位置ずれを防ぐと共に、強度低下を抑えつつ軽量化を図ることができる。好ましくは、ブラケットとケースとが互いに当接面およびピボット孔は、型成形部品を基に、同一の基準位置に基づいて切削加工によって形成されることが好ましい。これによってケースに対するピボット軸の位置ずれをさらに抑えることができる。さらに型成形品は、重力鋳造品よりもダイキャスト鋳造品が用いられることが好ましい。
【００５０】
［５］前記ケース（３）は、本体部分（３１）と、前記ブラケット（４）を固定する固定部分（３２）とを有しており、前記固定部分（３２）は、前記本体部分（３１）から前記固定方向（ＤＦ）に突出するように形成されている。
【００５１】
このため、スイングアーム支持構造は、ケースの本体部分の強度が低下することを防止できる。
【００５２】
このように本体部と固定部とでケースの厚みを異ならせることで、本体部によって内容物のケーシング機能として必要な厚みを持たせ、固定部によってブラケットの支持機能としての必要な厚みを持たせることができ、重量化を防ぎつつブラケットを支持することができる。本実施形態では、ケース内面において、本体部から固定部がケース中心に向かって固定方向に突出させることで、ケース外面とブラケットとを近づけることができ、当接面積を大きくすることができる。またたとえばケース内空間の仕切り壁、内部構造物の支持、冷却水の供給などの目的で、ケース中心に向かって車幅方向に直交する突出部分がケース本来の機能として形成される場合には、その突出部分をボルト固定用の固定部として兼用することで、ケーシングとしてのケース本来の剛性を維持しやすく、ケースの肉厚増加を抑えることができる。
【００５３】
［６］スイングアーム支持構造は、前記スイングアーム（５）を前記ブラケット（４）に対して弾性的に支持するショックアブソーバ（６）を備え、前記ブラケット（４）は前記ショックアブソーバ（６）を支持するアブソーバ支持部（９）を備えている。
【００５４】
ピボット軸とショックアブソーバとの両方をブラケットに支持させることで、ピボット軸とショックアブソーバ接続位置との位置関係を精度よく設定できる。本実施例では、さらにショックアブソーバ支持部が、ブラケットから着脱自在に構成されることで、支持位置が異なるショックアブソーバ支持部を用意することで、ショックアブソーバ指示部を変更するだけで、ショックアブソーバのレバー比を容易に調整することができる。
【００５５】
［７］スイングアーム支持構造は、前記ブラケット（４）は、前記ショックアブソーバ（６）のレバー比を調整するためのリンク機構（７）を支持するリンク支持部（４４）を備えている。
【００５６】
ピボット軸とショックアブソーバとリンク機構のそれぞれをブラケットに支持させることで、ピボット軸、ショックアブソーバ接続位置、リンク機構接続位置との位置関係を精度よく設定できる。
【００５７】
［８］スイングアーム支持構造は、前記スイングアーム（５）を前記ブラケット（４）に対して弾性的に支持するショックアブソーバ（６）を備えており、前記固定方向（ＤＦ）から見て、前記複数の締結部材は、前記ショックアブソーバ（６）によって隠される領域から離れた位置に配置される。
【００５８】
ブラケットにショックアブソーバが取り付けられていても、ブラケットをケースに固定するための締結部材が固定方向で露出する。このため、スイングアーム支持構造は、ブラケットとショックアブソーバの取付順序に関係なく、ブラケットをケースに固定することができ、組立作業性を向上できる。
【００５９】
［９］スイングアーム支持構造は、パワーユニットを収納するケース（３）と、車軸を支持するスイングアーム（５）をピボット軸（１０）を介して上下に揺動自在に支持するブラケット（４）と、ヘッドパイプフレーム（１）から後方に延びて前記ケース（３）を支持するメインフレーム（２）とを備えており、前記ブラケット（４）は、前記メインフレーム（２）とは別体に形成されており、前記ケース（３）に着脱可能に固定される。
【００６０】
ケースとは別体にブラケットが形成されるので、ケースのピボット軸付近にブラケットから付与される応力が集中することを防ぐことができ、ケースでスイングアームを直接支持する場合に比べて、ケース剛性が過剰となることを防ぐことができる。またブラケットがメインフレームと別体に形成されることで設計の自由度を向上することができる。例えばメインフレームにピボット軸が形成される場合に比べて、ブラケットを小型化することができ、車両を軽量化および小型化することができる。
【００６１】
本実施形態に係るスイングアーム支持構造は、次の変形を適用できる。
【００６２】
スイングアームは、ブラケットに形成されるピボット軸に対して上下方向に揺動変位する構造であるものに本発明を適用できる。たとえば前輪車軸よりも後方のケースに固定されるブラケットを用いて、ブラケットのピボット軸に対して上下方向に揺動変位するスイングアームに前輪車軸を支持させてもよい。この場合、ブラケットは、クランクケースを前方から後方に固定されることになる。
【００６３】
またスイングアームは、ピボット軸まわりに角変位する構造でもよいが、他の構造が用いられてもよい。たとえばスイングアームを上下方向にほぼ平行に揺動させる構造を採用してもよい。具体的には、ブラケットに上下方向に間隔をあけた２つのピボット軸が設定され、各ピボット軸から平行リンクを形成する複数のアームが形成されて、複数のアームを介して車軸が支持されてもよい。
【００６４】
本実施例では、クランクケースのうちの変速機ケースにブラケットが固定される構造であるが、車輪を駆動するための駆動源であるパワーユニットを収納するケースにブラケットが固定されればよい。たとえばシリンダブロックにブラケットが固定されてもよい。またクランクケースと変速機ケースとが別々に形成される場合には、変速機ケースにブラケットが固定されてもよい。また変速機が設けられない場合であれば、内燃機関が収納されるケースにブラケットが固定されてもよい。またメインフレームとブラケットとが一体的に形成される構造も本発明に含まれる。また駆動源として内燃機関以外を備える自動二輪車も本発明に含まれる。たとえば電動二輪車の場合、パワーユニットケースが、モータケースまたはバッテリケースのいずれかを含む場合、それらのケースにブラケットが固定される場合も本発明に含まれる。
【００６５】
ショックアブソーバの両端がそれぞれアームブラケットとスイングアームとに接続されてもよい。またショックアブソーバがアームブラケットに接続されていなくてもよい。同様にリンク部材が用いられなくてもよい。ボルトの位置、数は、本実施例に限らず、適宜異ならせる場合も本発明に含まれる。後方から前方に向かう方向に固定方向が設定されたが、水平方向に対して斜め上下方向、前後方向に延びる鉛直面に対して斜め左右方向に向くように設定されてもよい。
【００６６】
アブソーバブラケットは、一体成形されてもよい。これによってピボット軸とショックアブソーバとの位置関係のずれをより確実に防ぐことができる。
【００６７】
メインフレームの形状は、他の形状でもよい。メインフレームは、パイプフレームの他、型成形法によって形成されてもよい。
【符号の説明】
【００６８】
１  ヘッドパイプフレーム
２  メインフレーム
３  クランクケース
４  アームブラケット
５  スイングアーム
６  ショックアブソーバ
１０  ピボット軸
３１  本体部分
３２  固定部分
４３  ピボット孔
４４  アブソーバ孔
１００  車体フレーム
【図１】
2014125182.tif 000003
【図２】
2014125182.tif 000004
【図３】
2014125182.tif 000005
【図４】
2014125182.tif 000006
【図５】
2014125182.tif 000007
【図６】
2014125182.tif 000008
【図７】
2014125182.tif 000009